(57)【要約】【課題】  遊技機用基板ケースに貼り付けられた封印シールに「しわ」や「浮き」が生じにくくする。【解決手段】  ベース部材１１０に設けられたベース側シール貼付部Ａ１とカバー部材１２０に設けられたカバー側シール貼付部Ａ２とに跨った状態で封印シール２００を貼り付けることができるようにした遊技機用基板ケース１００において、ベース側シール貼付部Ａ１を形成するフランジ部１１５を、ベース部材１１０のベース側壁部１１２から内側に突出した状態に設けた。【選択図】  図３
2017213247.tif 000002
【特許請求の範囲】
【請求項１】
ベース部材と、
ベース部材の前側を覆った状態に組み付けられるカバー部材と、
を備え、
ベース部材に設けられたベース側シール貼付部とカバー部材に設けられたカバー側シール貼付部とに跨った状態で封印シールを貼り付けることができるようにした
遊技機用基板ケースであって、
ベース部材が、
ベース後壁部と、
ベース後壁部の一の側縁から前側に突出する第一のベース側壁部と、
第一のベース側壁部の前部から内側に突出し、その前面がベース側シール貼付部となるフランジ部と、
を有し、
カバー部材が、
その前面における一部の領域がカバー側シール貼付部となるカバー前壁部と、
カバー前壁部の一の側縁から後側に突出する第一のカバー側壁部と、
を有し、
カバー前壁部の前面における、カバー側シール貼付部に隣接する領域に、フランジ嵌合凹部が設けられ、
ベース部材とカバー部材とを組み付けた状態においては、
第一のカバー側壁部が第一のベース側壁部の内面側に沿った状態で配されて、第一のカバー側壁部の後端がベース後壁部の前面に略当接した状態となり、
フランジ部がフランジ嵌合凹部に嵌合されて、フランジ部の後面とフランジ嵌合凹部の前面とが略当接した状態となる
ようにしたことを特徴とする遊技機用基板ケース。
【請求項２】
フランジ部の後面が、その内端側が外端側よりも前方へ位置するように、傾斜して形成されるとともに、
フランジ嵌合凹部の前面が、フランジ部の後面と略同じ角度で傾斜して形成された
請求項１記載の遊技機用基板ケース。
【請求項３】
フランジ部における、ベース側シール貼付部の外縁に沿った箇所に、ベース側凸条部が設けるとともに、
カバー前壁部における、カバー側シール貼付部の外縁に沿った箇所に、カバー側凸条部が設けられた
請求項１又は２記載の遊技機用基板ケース。
【請求項４】
カバー部材の前面に、
第一凹部と、
第一凹部に隣接する領域に設けられ、第一凹部よりも一段低い第二凹部と、
が設けられ、
第一凹部の前面がカバー側シール貼付部となり、
第二凹部がフランジ嵌合凹部となる
ようにした請求項１又は２記載の遊技機用基板ケース。
【請求項５】
ベース部材が、
ベース後壁部の前記一の側縁に隣接する他の側縁から前側に突出する第二のベース側壁部を
さらに有し、
カバー部材が、
カバー前壁部の前記一の側縁に隣接する他の側縁から後側に突出する第二のカバー側壁部を
さらに有し、
フランジ部が、第一のベース側壁部と第二のベース側壁部とで形成される隅角部の前部から内側に突出して形成され、
ベース部材とカバー部材とを組み付けた状態においては、
第二のカバー側壁部が第二のベース側壁部の内面側に沿った状態で配されて、第二のカバー側壁部の後端がベース後壁部の前面に略当接した状態となる
ようにした請求項１〜４いずれか１つに記載の遊技機用基板ケース。
【請求項６】
請求項１〜５いずれか１つに記載の遊技機用基板ケースを備えた遊技機。
【発明の詳細な説明】
【技術分野】
【０００１】
本発明は、遊技機において各種の電子基板を収容するために用いられる遊技機用基板ケースと、この遊技機用基板ケースを備えた遊技機とに関する。
【背景技術】
【０００２】
遊技機は、様々な不正行為の対象となりうる。例えば、遊技機の筺体の内部には、メイン制御基板が収容されており、このメイン制御基板には、遊技機を制御するためのプログラムが記録された記憶装置（通常はＲＯＭ）が実装されているが、この記憶装置を偽造されたもの（いわゆる偽造ＲＯＭ）に差し替えるという不正行為が知られている。この種の不正行為を防止するため、遊技機の各メーカーは、メイン制御基板等の電子基板をケース（遊技機用基板ケース）内に収容して封止した構造としている。遊技機用基板ケースの具体的な形態は、それに収容される電子基板の種類やその設置箇所等によって様々であるが、電子基板の下面側を覆うベース部材と、電子基板の上面側を覆うカバー部材とを備えたものが一般的である。
【０００３】
ところで、上記のように、ベース部材とカバー部材とを備えた遊技機用基板ケースでは、その外面に封印シールを貼り付けることも行われている。この種の封印シールは、通常、ベース部材とカバー部材との境界部を跨ぐように貼り付けられる（例えば、特許文献１の図２における封印シール７００、同文献の図３，４におけるシール貼付部７ｃ、及び、同文献の段落００３４を参照。）。これにより、遊技機用基板ケースに貼り付けられた封印シールの状態を目視することによって、遊技機用基板ケースが不正に開けられた（ベース部材からカバー部材が不正に取り外された）ことがあるか否かを識別しやすくし、遊技機用基板ケース内に収容された電子基板への不正なアクセスを容易に発見することが可能になる。
【先行技術文献】
【特許文献】
【０００４】
【特許文献１】特開２０１５−０８３０８７号公報
【発明の概要】
【発明が解決しようとする課題】
【０００５】
しかし、特許文献１の遊技機用基板ケース（同文献の図２，３における制御基板ケース７）では、その輸送時や組付作業時等において、それに貼り付けられた封印シールに「しわ」や「浮き」という状態が発生する虞があり、不正に開けられたことがないにもかかわらず、不正に開けられたことがあると誤認される可能性があった。
【０００６】
というのも、特許文献１の遊技機用基板ケースでは、ベース部材（同文献の図４におけるベース体８）の側壁部（同図における収納側上壁８ｄ）から外方に突出して設けたフランジ部の先端側の上面と、カバー部材（同図におけるカバー体９）の側壁部（同図における収納側上内壁９ｄ）から外方に突出して設けたフランジ部の上面とが、封印シールを貼り付けるためのシール貼付部（同図におけるシール貼付部７ｃ）になっているところ、これらのフランジ部のように、遊技機用基板ケースから外方に突出した部分は、物が当たりやすい箇所であることに加えて、その下側に支えとなるような部分もなく、撓み等の変形が生じやすい箇所にもなっているからである。
【０００７】
この点、特許文献１の遊技機用基板ケースにおいて、ベース部材のフランジ部の下側に支えとなるような支持構造を設けると、フランジ部を変形しにくくすることは可能になるものの、その部分に物が当たりやすいという根本的な問題を解決することができない。また、フランジ部の支持構造を設ける分、遊技機用基板ケースが大型化し、遊技機の筺体内のスペースを効率的に使えなくなるという問題も生じる。遊技機の筺体内には、多数の機器が配されることに加えて、放熱スペースを確保する必要もあるため、遊技機用基板ケースの大型化は、好ましくない。
【０００８】
本発明は、上記課題を解決するために為されたものであり、それに貼り付けられる封印シールに「しわ」や「浮き」が生じにくくすることのできる遊技機用基板ケースを提供するものである。また、斯様な遊技機用基板ケースを大型化させることなく提供することも本発明の目的である。さらに、この遊技機用基板ケースを備えた遊技機を提供することも本発明の目的である。
【課題を解決するための手段】
【０００９】
上記課題は、
ベース部材と、
ベース部材の前側を覆った状態に組み付けられるカバー部材と、
を備え、
ベース部材に設けられたベース側シール貼付部とカバー部材に設けられたカバー側シール貼付部とに跨った状態で封印シールを貼り付けることができるようにした
遊技機用基板ケースであって、
ベース部材が、
ベース後壁部と、
ベース後壁部の一の側縁から前側に突出する第一のベース側壁部と、
第一のベース側壁部の前部から内側に突出し、その前面がベース側シール貼付部となるフランジ部と、
を有し、
カバー部材が、
その前面における一部の領域がカバー側シール貼付部となるカバー前壁部と、
カバー前壁部の一の側縁から後側に突出する第一のカバー側壁部と、
を有し、
カバー前壁部の前面における、カバー側シール貼付部に隣接する領域に、フランジ嵌合凹部が設けられ、
ベース部材とカバー部材とを組み付けた状態においては、
第一のカバー側壁部が第一のベース側壁部の内面側に沿った状態で配されて、第一のカバー側壁部の後端がベース後壁部の前面に略当接した状態となり、
フランジ部がフランジ嵌合凹部に嵌合されて、フランジ部の後面とフランジ嵌合凹部の前面とが略当接した状態となる
ようにしたことを特徴とする遊技機用基板ケース
を提供することによって解決される。
【００１０】
かかる構成によって、シール貼付部（ベース側シール貼付部及びカバー側シール貼付部）を、遊技機用基板ケースにおける外側に突出しない部分に設けることができる。このため、遊技機用基板ケースの輸送時や組付作業時等において、シール貼付部に物が当たりにくくするだけでなく、上記のように、遊技機用基板ケースの大型化に繋がる支持構造を、遊技機用基板ケースに別途設ける必要もなくなる。また、ベース部材のフランジ部を、カバー部材のフランジ嵌合凹部の前面で支えるだけでなく、カバー部材におけるフランジ嵌合凹部の周辺を、第一のカバー側壁部で支えることも可能になる。さらに、第一のカバー側壁部の外面を、第一のベース側壁部の内面で支えることも可能になり、第一のカバー側壁部を変形しにくくすることも可能になる。このように、遊技機用基板ケースにおけるシール貼付部の周辺を強固な構造とすることによって、遊技機用基板ケースにおけるシール貼付部やその周辺に外力が加えられた場合であっても、シール貼付部に撓み等の変形が生じにくくすることが可能になる。したがって、遊技機用基板ケースに貼り付けられる封印シールに「しわ」や「浮き」が生じにくくして、遊技機用基板ケースが不正に開けられたことがないにもかかわらず、不正に開けられたことがあると誤認されないようにすることが可能になる。ここで、「ベース部材の前側」や「カバー前壁部」等の記載における「前」という語句や、「ベース後壁部」や「後側に突出」等の記載における「後」という語句は、各部の相対的位置関係を分かりやすくするために、ベース部材から見てカバー部材が配される側を「前」側とし、カバー部材から見てベース部材が配される側を「後」側として用いたものであり、遊技機用基板ケースの絶対的な配置方向等を限定するものではない。また、本明細書においては、ベース部材やカバー部材を前方から見た場合に、ベース部材やカバー部材の中心に向かう側を「内」側とし、その反対側を「外」側として説明している。
【００１１】
本発明の遊技機用基板ケースにおいては、
フランジ部の後面を、その内端側が外端側よりも前方へ位置するように、傾斜して形成する（図２９（ａ）における傾斜角度θを参照）とともに、
フランジ嵌合凹部の前面を、フランジ部の後面と略同じ角度で傾斜して形成する（図２９（ａ）における傾斜角度φを参照）
ことが好ましい。
【００１２】
かかる構成によって、図２９（ａ）に示すように、ベース部材１１０とカバー部材１２０とを組み付ける際に、フランジ部１１５の後面１１５ａにおける内端（ｚ軸方向負側の端部）とフランジ嵌合凹部１２７の前面１２７ａにおける外端（ｚ軸方向正側の端部）との間に、クリアランスＣを設けることが可能になり、フランジ部１１５をフランジ嵌合凹部１２７に嵌合しやすくすることが可能になる。また、図２９（ｂ）に示すように、ベース部材１１０とカバー部材１２０とを組み付けた状態にあっては、フランジ部１１５の後面１１５ａとフランジ嵌合凹部１２７の前面１２７ａとを密着しやすくし、フランジ部１１５の全体をフランジ嵌合凹部１２７の前面１２７ａでしっかりと支えることが可能になる。このため、遊技機用基板ケース１００におけるシール貼付部Ａに、撓み等の変形がさらに生じにくくすることも可能になる。
【００１３】
本発明の遊技機用基板ケースにおいては、
フランジ部における、ベース側シール貼付部の外縁に沿った箇所に、ベース側凸条部を設けるとともに、
カバー前壁部における、カバー側シール貼付部の外縁に沿った箇所に、カバー側凸条部を設ける
ことも好ましい。
【００１４】
かかる構成によって、遊技機用基板ケースに貼り付けられた封印シールの端部を、ベース側凸条部やカバー側凸条部で保護し、封印シールの後面とシール貼付部の前面との間に、カッターナイフの刃等が不正に挿し込まれにくくすることが可能になる。このため、封印シールに破れ等の痕跡を残すことなく、シール貼付部から封印シールが不正に剥がされないようにすることが可能になる。
【００１５】
本発明の遊技機用基板ケースにおいては、
カバー部材の前面に、
第一凹部と、
第一凹部に隣接する領域に設けられ、第一凹部よりも一段低い第二凹部と、
を設け、
第一凹部の前面がカバー側シール貼付部となり、
第二凹部がフランジ嵌合凹部となる
ようにすることも好ましい。
【００１６】
かかる構成によって、ベース側シール貼付部の前面、及び、カバー側シール貼付部の前面を、カバー部材におけるシール貼付部の周辺の前面よりも一段低い箇所に設けることが可能になる。このため、上記のベース側凸条部やカバー側凸条部を、カバー前壁部の前面よりも前方に突出した状態に設けなくても、遊技機用基板ケースに貼り付けられた封印シールの端部を保護することが可能になる。ベース側凸条部やカバー側凸条部を、カバー前壁部の前面よりも前方に突出した状態に設けると、これらの凸条部に物が当たりやすくなり、凸条部が破損したり、凸条部に加えられた外力がシール貼付部に波及する虞があるところ、ベース側凸条部やカバー側凸条部をカバー前壁部の前面よりも前方に突出させないことによって、このような問題が生じないようにすることが可能になる。本構成を採用すれば、ベース側凸条部やカバー側凸条部を設けなくても、封印シールの端部を保護することも可能である。
【００１７】
本発明の遊技機用基板ケースにおいては、
ベース部材が、
ベース下後壁部の前記一の側縁に隣接する他の側縁から前側に突出する第二のベース側壁部を
さらに有し、
カバー部材が、
カバー前壁部の前記一の側縁に隣接する他の側縁から後側に突出する第二のカバー側壁部を
さらに有し、
フランジ部が、第一のベース側壁部と第二のベース側壁部とで形成される隅角部の前部から内側に突出して形成され、
ベース部材とカバー部材とを組み付けた状態においては、
第二のカバー側壁部が第二のベース側壁部の内面側に沿った状態で配されて、第二のカバー側壁部の後端がベース後壁部の前面に略当接した状態となる
ようにする
ことも好ましい。
【００１８】
かかる構成によって、カバー部材におけるフランジ嵌合凹部の周辺を、第一のカバー側壁部だけでなく、第二のカバー側壁部で支えることも可能になる。また、第二のカバー側壁部の外面を、第二のベース側壁部の内面で支えることも可能になり、第一のカバー側壁部だけでなく、第二のカバー側壁部も変形しにくくすることも可能になる。このため、遊技機用基板ケースにおけるシール貼付部周辺をさらに強固な構造とし、シール貼付部に撓み等の変形がさらに生じにくくすることが可能になる。
【図面の簡単な説明】
【００１９】
【図１】回胴式遊技機を前方から見た状態を示した図である。
【図２】前扉が開かれた回胴式遊技機を前斜め上方から見た状態を示した図である。
【図３】第一実施態様の遊技機用基板ケースを分解した状態を示した前方斜視図である。
【図４】第一実施態様の遊技機用基板ケースにおけるカバー部材に電子基板を組み付けている様子を示した後方斜視図である。
【図５】第一実施態様の遊技機用基板ケースに封印シールを貼り付けている様子を示した前方斜視図である。
【図６】第一実施態様の遊技機用基板ケースに封印シールを貼り付けた後の状態を示した前方斜視図である。
【図７】第一実施態様の遊技機用基板ケースに封印シールを貼り付けた後の状態を示した正面図である。
【図８】第一実施態様の遊技機用基板ケースにおけるシール貼付部の周辺を示した断面図である。
【図９】第二実施態様の遊技機用基板ケースを分解した状態を示した前方斜視図である。
【図１０】第二実施態様の遊技機用基板ケースに封印シールを貼り付けた後の状態を示した前方斜視図である。
【図１１】第二実施態様の遊技機用基板ケースに封印シールを貼り付けた後の状態を示した正面図である。
【図１２】第二実施態様の遊技機用基板ケースにおけるシール貼付部の周辺を示した断面図である。
【図１３】第三実施態様の遊技機用基板ケースを分解した状態を示した前方斜視図である。
【図１４】第三実施態様の遊技機用基板ケースに封印シールを貼り付けた後の状態を示した前方斜視図である。
【図１５】第三実施態様の遊技機用基板ケースに封印シールを貼り付けた後の状態を示した正面図である。
【図１６】第三実施態様の遊技機用基板ケースにおけるシール貼付部の周辺を示した断面図である。
【図１７】第四実施態様の遊技機用基板ケースを分解した状態を示した前方斜視図である。
【図１８】第四実施態様の遊技機用基板ケースに封印シールを貼り付けた後の状態を示した前方斜視図である。
【図１９】第四実施態様の遊技機用基板ケースに封印シールを貼り付けた後の状態を示した正面図である。
【図２０】第四実施態様の遊技機用基板ケースにおけるシール貼付部の周辺を示した断面図である。
【図２１】第五実施態様の遊技機用基板ケースを分解した状態を示した前方斜視図である。
【図２２】第五実施態様の遊技機用基板ケースに封印シールを貼り付けた後の状態を示した前方斜視図である。
【図２３】第五実施態様の遊技機用基板ケースに封印シールを貼り付けた後の状態を示した正面図である。
【図２４】第五実施態様の遊技機用基板ケースにおけるシール貼付部の周辺を示した断面図である。
【図２５】第六実施態様の遊技機用基板ケースを分解した状態を示した前方斜視図である。
【図２６】第六実施態様の遊技機用基板ケースに封印シールを貼り付けた後の状態を示した前方斜視図である。
【図２７】第六実施態様の遊技機用基板ケースに封印シールを貼り付けた後の状態を示した正面図である。
【図２８】第六実施態様の遊技機用基板ケースにおけるシール貼付部の周辺を示した断面図である。
【図２９】フランジ部の後面及びフランジ嵌合凹部の前面を傾斜させた態様の遊技機用基板ケースを、図７におけるＸ１−Ｘ１面に相当する平面で切断した状態を示した断面図である。
【発明を実施するための形態】
【００２０】
本発明の遊技機用基板ケースの好適な実施態様について、図面を用いてより具体的に説明する。以下においては、説明の便宜上、本発明の遊技機用基板ケースを回胴式遊技機において採用する場合を例に挙げて説明するが、本発明の遊技機用基板ケースは、パチンコ遊技機等の他の遊技機においても採用することができる。
【００２１】
１．  回胴式遊技機
図１は、回胴式遊技機１０を前方から見た状態を示した図である。回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００２２】
この回胴式遊技機１０は、メダルのクレジット枚数が所定枚数以上となった状態でスタートレバー２０が操作されると、役抽選が実行されるとともにリール１３，１４，１５が一斉に回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２３】
図２は、前扉１０ｂが開かれた回胴式遊技機１０を前斜め上方から見た状態を示した図である。回胴式遊技機１０は、図２に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。本実施態様において、遊技機筺体の内部には、メイン制御基板ユニット３０、サブ制御基板ユニット３１、液晶ユニット３２、電源ユニット３３、コネクタユニット３４、リールユニット３５及びホッパーユニット３６等が納められている。
【００２４】
メイン制御基板ユニット３０は、役抽選や入賞判定等、遊技における基本的な制御を行う電子基板（メイン制御基板）を備えている。サブ制御基板ユニット３１は、発光ランプや音声による演出等、遊技における演出に関する制御を行う電子基板（サブ制御基板）を備えている。液晶ユニット３２は、液晶ディスプレイ１６（図１を参照）に表示される映像による演出に関する制御を行う電子基板（映像基板）を備えている。電源ユニット３３は、回胴式遊技機１０における各機器に電力を供給する電子基板（電源基板）を備えている。コネクタユニット３４は、特定の機器に接続されたケーブルを仲介する電子基板（仲介基板）を備えている。リールユニット３５は、リール１３，１４，１５の回転をそれぞれ独立して制御する電子基板（リール制御基板）を備えている。ホッパーユニット３６は、メダル投入口１１（図１を参照）に投入されたメダルを回収するとともに、制御基板ユニット３０からの信号に基づいてメダル払出口１２（図１を参照）へメダルを送出する制御を行う電子基板（ホッパー制御基板）を備えている。
【００２５】
これらのユニットに備えられた各種電子基板は、不正アクセスの対象となり得る。例えば、メイン制御基板ユニット３０に備えられた電子基板（メイン制御基板）には、回胴式遊技機１０における基本的な制御を行うためのプログラムが記録された記憶装置（ＲＯＭ）が搭載されているところ、この記憶装置を偽造したものに交換することによって、遊技中に特定の操作を行うと必ず大当たりになるようにする等、回胴式遊技機１０に不正な改造を試みる者がいる。このため、回胴式遊技機１０等の遊技機においては、この種の電子基板を、ケースの内部に収容して封止するとともに、当該ケースの外面には、ケースが開封されたか否かを認識できるようにするための封印シールを貼りつけることが行われている。この点、本実施態様においては、図３に示すような遊技機用基板ケース１００の内部に、電子基板を収容することによって、当該電子基板を封止する構造とするとともに、遊技機用基板ケース１００の外面に、封印シール２００を貼り付けるようにしている。
【００２６】
２．遊技機用基板ケース
本発明の遊技機用基板ケース１００について、より具体的に説明する。以下においては、第一実施態様から第六実施態様までの６つの実施態様を例に挙げて、本発明の遊技機用基板ケース１００を説明する。しかし、本発明の遊技機用基板ケース１００の技術的範囲は、これらの実施態様のものに限定されない。本発明の遊技機用基板ケース１００は、本発明の趣旨を損なわない範囲で適宜変更を施すことができる。また、以下においては、説明の便宜上、メイン制御基板ユニット３０（図２）の電子基板（メイン制御基板）を封止するものを例に挙げて、本発明の遊技機用基板ケース１００を説明する。しかし、本発明の遊技機用基板ケース１００は、メイン制御基板以外の電子基板を封止する場合にも好適に採用することができる。例えば、サブ制御基板ユニット３１の電子基板（サブ制御基板）を封止する場合や、液晶ユニット３２の電子基板（映像基板）を封止する場合等にも、本発明の遊技機用基板ケース１００を採用することができる。
【００２７】
２．１  第一実施態様の遊技機用基板ケース
まず、第一実施態様の遊技機用基板ケース１００について説明する。図３は、第一実施態様の遊技機用基板ケース１００を分解した状態を示した前方斜視図である。図４は、第一実施態様の遊技機用基板ケース１００におけるカバー部材１２０に電子基板３００を組み付けている様子を示した後方斜視図である。図５は、第一実施態様の遊技機用基板ケース１００に封印シール２００を貼り付けている様子を示した前方斜視図である。図６は、第一実施態様の遊技機用基板ケース１００に封印シール２００を貼り付けた後の状態を示した前方斜視図である。図７は、第一実施態様の遊技機用基板ケース１００に封印シール２００を貼り付けた後の状態を示した正面図である。図８は、第一実施態様の遊技機用基板ケース１００におけるシール貼付部Ａの周辺を示した断面図であり、図８（ａ）は、図７におけるＸ１−Ｘ１断面を、図８（ｂ）は、図７におけるＺ１−Ｚ１断面を、図８（ｃ）は、図７におけるＺ２−Ｚ２断面を、それぞれ示している。
【００２８】
第一実施態様の遊技機用基板ケース１００は、図３に示すように、ベース部材１１０と、ベース部材１１０の前側（ｙ軸方向負側）を覆った状態に組み付けられるカバー部材１２０とで構成されている。本実施態様において、カバー部材１２０は、ベース部材１１０の下側（ｚ軸方向負側）から上向き（ｚ軸方向正側）にスライドさせることによって、ベース部材１１０に組み付けるようになっている。ただし、ベース部材１１０に対してカバー部材１２０を組み付ける方向は、これに限定されない。例えば、ベース部材１１０に対してカバー部材１２０を下向きにスライドさせる構造とすることもできるし、右向きや左向きにスライドさせる構造とすることもできる。本実施態様においては、カバー部材１２０を所定位置までスライドさせると、カバー部材１２０の上部に設けられた係止部１２０ａが、ベース部材１１０の上部に設けられた被係止部１１０ａに係止された状態となり、ベース部材１１０に対してカバー部材１２０を一旦組み付けると、係止部１２０ａと被係止部１１０ａとの係合を解除するか、係止部１２０ａや被係止部１１０ａを破壊等しない限りは、ベース部材１１０からカバー部材１２０を取り外すことができないようになっている。ベース部材１１０に組み付けられたカバー部材１２０は、ベース部材１１０に設けられたネジ挿通孔１１０ｂに対して、ベース部材１１０の後面側からネジ４０１を挿通し、そのネジ４０１の先端をカバー部材１２０の後面側に設けられたネジ螺合部１２０ｂ（図４）に螺合させることによって、ベース部材１１０に固定することができるようになっている。
【００２９】
この遊技機用基板ケース１００の内部には、メイン制御基板等、封止対象の電子基板が収容される。電子基板は、遊技機用基板ケース１００におけるベース部材１１０とカバー部材１２０のうち、いずれに固定してもよいが、本実施態様においては、カバー部材１２０に固定するようにしている。具体的には、図４に示すように、電子基板３００に設けられたネジ挿通孔３００ｃに対して、電子基板３００の後側（ｙ軸方向正側）からネジ４０２を挿通し、そのネジ４０２の先端を、カバー部材１２０の後面側に設けられたネジ螺合部１２０ｃに螺合させることによって、電子基板３００をカバー部材１２０の後面側に組み付けるようにしている。電子基板３００の前面側には、図示省略のＣＰＵやＲＯＭ等の各種電子部品が実装されている。このように、電子基板３００をカバー部材１２０に予め固定しておくことによって、電子基板３００の前面側に実装された電子部品をカバー部材１２０で保護し、カバー部材１２０をベース部材１１０に組み付ける際に、電子基板３００の前面側に実装された電子部品がベース部材１１０等の他の部材に干渉しないようにすることが可能となっている。電子基板３００における、カバー部材１２０のネジ螺合部１２０ｂに前後方向に重なる位置には、ネジ４０１（図３）を挿通するためのネジ挿通孔３００ｂが設けられている。
【００３０】
図３に示すように、ベース部材１１０には、ベース側シール貼付部Ａ１が設けられるとともに、カバー部材１２０には、カバー側シール貼付部Ａ２が設けられている。ベース側シール貼付部Ａ１とカバー側シール貼付部Ａ２は、図５に示すように、ベース部材１１０に対してカバー部材１２０を組み付けた際に、互いに組み合わさり、１つのシール貼付部Ａを形成するようになっている。このシール貼付部Ａには、図６に示すように、封印シール２００が貼り付けられる。封印シール２００は、ベース側シール貼付部Ａ１とカバー側シール貼付部Ａ２とに跨った状態で貼り付けられる。このため、ベース部材１１０からカバー部材１２０を取り外そうとすると、シール貼付部Ａがベース側シール貼付部Ａ１とカバー側シール貼付部Ａ２とに分離し、それに貼り付けられた封印シール２００が破断するようになっている。したがって、シール貼付部Ａに貼り付けられた封印シール２００の状態を視認することによって、遊技機用基板ケース１００が開かれたことがあるか否かの履歴を確認することができるようになっている。
【００３１】
封印シール２００としては、各種のシールを用いることができるが、シール貼付部Ａから剥がそうとすると、破れ等が生じて綺麗に剥がせないタイプのシールを好適に用いることができる。封印シール２００のオモテ面（粘着面とは反対側の面）には、「開封厳禁」等のメッセージや、遊技機用基板ケース１００に収容する電子基板の基板番号等の数字や、マーク等を表してもよい。封印シール２００の形状としては、矩形が一般的であるが、他の形状を採用することもできる。他の形状としては、矩形以外の四角形（菱形等）や、三角形や、これら以外の多角形や、円形や楕円形や、これらを組み合わせた形状が例示される。以下においては、説明の便宜上、矩形の封印シール２００を用いる場合を例に挙げて、遊技機用基板ケース１００の説明をする。しかし、以下で述べる構成は、矩形以外の封印シール２００を用いる場合であっても、シール貼付部Ａの形状や、遊技機用基板ケース１００におけるシール貼付部Ａの周辺部の形状を、封印シール２００の形状に合わせて適宜変更することで採用することができる。
【００３２】
遊技機用基板ケース１００（ベース部材１１０及びカバー部材１２０）は、通常、樹脂の射出成形品とされる。遊技機用基板ケース１００の成形に用いる樹脂は、透光性（視認性）を有さないものであってもよいが、透光性を有するもの（透明なものを含む。）であると好ましい。透光性を有する樹脂としては、ポリカーボネートや、アクリルや、ＡＢＳ樹脂や、ＰＥＴ樹脂や、ポリスチレン等が例示される。これにより、遊技機用基板ケース１００の外側からその内側を視認することが可能となり、万が一、電子基板３００に不正な改造が施された場合であっても、その痕跡を発見しやすくすることが可能になる。また、透光性を有する樹脂は、塑性変形による白化部分が目立ちやすいところ、透光性を有する樹脂で遊技機用基板ケース１００を形成することによって、遊技機用基板ケース１００が無理矢理こじ開けられたような場合に、その際に遊技機用基板ケース１００に生ずる白化部分を視認しやすくし、遊技機用基板ケース１００が不正に開けられたことを発見しやすくすることも可能になる。
【００３３】
以下、遊技機用基板ケース１００を構成するベース部材１１０及びカバー部材１２０のそれぞれについて、より詳しく説明する。
【００３４】
２．１．１  ベース部材
ベース部材１１０は、封止対象である電子基板３００（図４）の後側を覆うための部材となっている。ベース部材１１０は、カバー部材１２０とともに電子基板３００を封止でき、且つ、後述するベース後壁部１１１と第一のベース側壁部１１２とフランジ部１１５とを有するのであれば、その具体的な形態を特に限定されない。本実施態様においては、図３に示すように、ベース部材１１０を、前面視矩形状を為すベース後壁部１１１と、ベース後壁部１１１の上縁から前側に突出して設けられた第一のベース側壁部１１２と、ベース後壁部１１１の右縁（ベース後壁部１１１を前方から見たときに右側となる縁部）から前側に突出して設けられた第二のベース側壁部１１３と、ベース後壁部１１１の左縁（ベース後壁部１１１を前方から見たときに左側となる縁部）から前側に突出して設けられた第三のベース側壁部１１４とで構成している。ベース側壁部１１２，１１３，１１４のうち、隣り合うベース側壁部は、互いに分離した状態に設けてもよいが、本実施態様においては、ベース部材１１０の剛性を高めるために、隣り合うベース側壁部を繋げた状態に設けている。第二のベース側壁部１１３と第三のベース側壁部１１４には、図７に示すように、固定部１１０ｃを設けている。この固定部１１０ｃは、遊技機用基板ケース１００を遊技機の筺体等に固定するための部分となっている。
【００３５】
ベース部材１１０の寸法は、遊技機用基板ケース１００に収容する電子基板３００の種類等によっても異なり、特に限定されない。しかし、ベース部材１１０を前方から見た場合の一辺の長さ（ｘ軸方向の幅又はｚ軸方向の幅）は、通常、５０〜７００ｍｍ程度であり、多くの場合、１００〜５００ｍｍ程度である。また、ベース部材１１０の前後厚（ｚ軸方向の幅）は、通常、１０〜１００ｍｍ程度であり、多くの場合、３０〜８０ｍｍ程度である。
【００３６】
第一のベース側壁部１１２の前縁中央部には、当該前縁から内側（ベース部材１１０の中心に向う側。本実施態様においては下側。）に突出した状態でフランジ部１１５が設けられている。このフランジ部１１５の前面は、上述したベース側シール貼付部Ａ１として使用される部分となっている。フランジ部１１５の寸法や形状は、ベース側シール貼付部Ａ１を確保できるのであれば、特に限定されない。本実施態様において、フランジ部１１５は、前面視略矩形を為す板状に形成されており、フランジ部１１５における前面側の略全体が、ベース側シール貼付部Ａ１となるようになっている。このベース側シール貼付部Ａ１には、矩形状を為す封印シール２００のうち、その上側の略半分が貼り付けられるようになっている。フランジ部１１５の具体的な寸法は、封印シール２００やカバー側シール貼付部Ａ２の寸法等によっても異なり、特に限定されないが、その横幅（第一のベース側壁部１１２の前縁に沿った方向の幅）が、通常、１０〜２００ｍｍ程度、好ましくは、５０〜１５０ｍｍ程度とされ、その縦幅（内側への突出量）が、通常、１０〜１００ｍｍ程度、好ましくは、２０〜５０ｍｍ程度とされる。
【００３７】
フランジ部１１５における、ベース側シール貼付部Ａ１の外縁に沿った箇所のうち、カバー側シール貼付部Ａ２に接続する１辺（本実施態様においては下縁）を除いた３辺（本実施態様においては上縁、右縁及び左縁）に沿った箇所には、ベース側凸条部１１６が設けられている。このベース側凸条部１１６は、シール貼付部Ａに貼り付けられた封印シール２００の後面（シール面）側にカッターナイフの刃等が挿し込まれないようにするために、封印シール２００の端部を保護するためのものとなっている。ベース側凸条部１１６の突出高さ（ベース側シール貼付部Ａ１からの突出高さ）は、特に限定されないが、通常、１〜７ｍｍ程度とされ、好ましくは、３〜５ｍｍ程度とされる。
【００３８】
ベース部材１１０における、ベース後壁部１１１や、ベース側壁部１１２，１１３，１１４や、フランジ部１１５の厚さは、ベース部材１１０を成形する材料の種類等によっても異なり、特に限定されない。しかし、ベース部材１１０の各部（特に、フランジ部１１５や、ベース後壁部１１１や、第一のベース側壁部１１２）は、後述するように、シール貼付部Ａの周辺部の剛性を高めるように機能するところ、これらの部分を薄くしすぎると、そのような機能が発揮されにくくなる虞がある。このため、ベース部材１１０における各部の厚さは、通常、１ｍｍ以上とされる。ベース部材１１０における各部の厚さは、１．５ｍｍ以上であると好ましく、２ｍｍ以上であるとより好ましい。一方、ベース部材１１０における各部の厚さに特に上限はないが、ベース部材１１０における各部を厚くしすぎると、ベース部材１１０の成形に用いる材料の使用量が増大してコスト高になるだけでなく、ベース部材１１０の重量が嵩むようになる。このため、ベース部材１１０における各部の厚さは、通常、１０ｍｍ以下とされる。ベース部材１１０における各部の厚さは、７ｍｍ以下であると好ましく、５ｍｍ以下であるとより好ましい。
【００３９】
２．１．２  カバー部材
カバー部材１２０は、封止対象である電子基板３００（図４）の前側を覆うための部材となっている。カバー部材１２０は、ベース部材１１０とともに電子基板３００を封止でき、且つ、後述するカバー前壁部１２１と第一のカバー側壁部１２２とを有するのであれば、その具体的な形態を特に限定されない。本実施態様においては、図４に示すように、カバー部材１２０を、前面視矩形状を為すカバー前壁部１２１と、カバー前壁部１２１の上縁から後側に突出して設けられた第一のカバー側壁部１２２と、カバー前壁部１２１の右縁（カバー前壁部１２１を前方から見たときに右側となる縁部）から後側に突出して設けられた第二のカバー側壁部１２３と、カバー前壁部１２１の左縁（カバー前壁部１２１を前方から見たときに左側となる縁部）から後側に突出して設けられた第三のカバー側壁部１２４と、カバー前壁部１２１の下縁から後側に突出して設けられた第四のカバー側壁部１２５とで構成している。カバー側壁部１２２，１２３，１２４，１２５のうち、隣り合うカバー側壁部は、互いに分離した状態に設けてもよいが、本実施態様においては、カバー部材１２０の剛性を高めるために、隣り合うカバー側壁部を繋げた状態に設けている。
【００４０】
図７に示すように、ベース部材１１０に対してカバー部材１２０を組み付けた際には、第一のカバー側壁部１２２の外面が第一のベース側壁部１１２の内面に沿った状態となり、第二のカバー側壁部１２３の外面が第二のベース側壁部１１３の内面に沿った状態となり、第三のカバー側壁部１２４の外面が第三のベース側壁部１１４の内面に沿った状態となるとともに、第一のカバー側壁部１２２、第二のカバー側壁部１２３及び第三のカバー側壁部１２４のそれぞれの後端面が、ベース後壁部１１１（図３）の前面に当接するか略当接した状態となるように、カバー側壁部１２２，１２３，１２４，１２５の寸法及び配置が設定されている。
【００４１】
図３に示すように、カバー前壁部１２１の前面における、ベース側シール貼付部Ａ１に隣接する領域（ベース部材１１０に対してカバー部材１２０を組み付けた際にベース側シール貼付部Ａ１に隣接する領域）には、カバー側シール貼付部Ａ２が設けられている。本実施態様においては、カバー前壁部１２１の上縁中央部から内側（カバー部材１２０の中心に向う側。本実施態様においては下側。）に所定間隔を隔てた矩形状の領域が、カバー側シール貼付部Ａ２となっている。このカバー側シール貼付部Ａ２には、矩形状を為す封印シール２００のうち、その下側の略半分が貼り付けられるようになっている。カバー側シール貼付部Ａ２の具体的な寸法は、封印シール２００やベース側シール貼付部Ａ１の寸法等によっても異なり、特に限定されないが、通常、上述したフランジ部１１５と同程度とされる。
【００４２】
カバー前壁部１２１における、カバー側シール貼付部Ａ２の外縁に沿った箇所のうち、ベース側シール貼付部Ａ１に接続する１辺（本実施態様においては上縁）を除いた３辺（本実施態様においては下縁、右縁及び左縁）に沿った箇所には、カバー側凸条部１２６が設けられている。このカバー側凸条部１２６は、上述したベース側凸条部１１６と同様、シール貼付部Ａに貼り付けられた封印シール２００の後面（シール面）側にカッターナイフの刃等が挿し込まれないようにするために、封印シール２００の端部を保護するためのものとなっている。本実施態様においては、カバー側凸条部１２６がベース側凸条部１１６に組み合わさることによって、図６に示すように、シール貼付部Ａに貼り付けられた封印シール２００の全周部が保護されるようになっている。カバー側凸条部１２６の突出高さ（カバー側シール貼付部Ａ２からの突出高さ）は、通常、上述したベース側凸条部１１６の突出高さと同程度とされる。
【００４３】
図３に示すように、カバー前壁部１２１の前面における、カバー側シール貼付部Ａ２の上側に隣接する矩形状の領域（ベース部材１１０に対してカバー部材１２０を組付けた際にフランジ部１１５と前後方向に重なる矩形状の領域）には、フランジ嵌合凹部１２７が設けられている。このフランジ嵌合凹部１２７は、ベース部材１１０におけるフランジ部１１５を嵌合するための部分となっている。このフランジ嵌合凹部１２７にフランジ部１１５を嵌合させることで、ベース部材１１０に対してカバー部材１２０を組み付けた際に、ベース側シール貼付部Ａ１とカバー側シール貼付部Ａ２との間に前後方向の段差が形成されないようにする（ベース側シール貼付部Ａ１とカバー側シール貼付部Ａ２とが面一となるようにする）ことが可能となっている。本実施態様において、フランジ嵌合凹部１２７の前面視形状は、フランジ部１１５の前面視形状と略同一とされ、フランジ嵌合凹部１２７の深さ（カバー前壁部１２１の前面からの深さ）は、フランジ部１１５の厚さ（前後方向での厚さ）と略同一となっている。
【００４４】
カバー部材１２０における、カバー前壁部１２１や、カバー側壁部１２２，１２３，１２４，１２５の厚さは、カバー部材１２０を成形する材料の種類等によっても異なり、特に限定されない。しかし、カバー部材１２０の各部（特に、カバー前壁部１２１や、第一のカバー側壁部１２２）は、後述するように、シール貼付部Ａの周辺部の剛性を高めるように機能するところ、これらの部分を薄くしすぎると、そのような機能が発揮されにくくなる虞がある。このため、カバー部材１２０における各部の厚さは、通常、１ｍｍ以上とされる。カバー部材１２０における各部の厚さは、１．５ｍｍ以上であると好ましく、２ｍｍ以上であるとより好ましい。一方、カバー部材１２０における各部の厚さに特に上限はないが、カバー部材１２０における各部を厚くしすぎると、ベース部材１１０における各部を厚くした場合と同様の問題が生ずる。このため、カバー部材１２０における各部の厚さは、通常、１０ｍｍ以下とされる。カバー部材１２０における各部の厚さは、７ｍｍ以下であると好ましく、５ｍｍ以下であるとより好ましい。
【００４５】
２．１．３  効果
以上で述べた第一実施態様の遊技機用基板ケース１００は、シール貼付部Ａに貼り付けられた封印シール２００に、「しわ」や「浮き」等が生じにくくして、遊技機用基板ケース１００が不正に開けられたことがないにもかかわらず、不正に開けられたことがあると誤認されないようにすることが可能なものとなっている。
【００４６】
というのも、遊技機用基板ケース１００の輸送時や組付作業時等において、シール貼付部Ａに物が当たると、シール貼付部Ａに撓み等の変形が生じ、シール貼付部Ａに貼り付けられた封印シール２００に「しわ」や「浮き」等が生じる虞があるところ、第一実施態様の遊技機用基板ケース１００では、図５に示すように、シール貼付部Ａが、遊技機用基板ケース１００における各側壁部（ベース側壁部１１２，１１３，１１４や、カバー側壁部１２５等）よりも外側に突出しない部分（各側壁部よりも内側に入り込んだ部分）に設けられており、シール貼付部Ａに物が当たりにくい構造となっているからである。
【００４７】
また、第一実施態様の遊技機用基板ケース１００では、遊技機用基板ケース１００におけるシール貼付部Ａの周辺部の剛性が高くなっているため、この点においても、シール貼付部Ａに貼り付けられた封印シール２００に「しわ」や「浮き」等が生じにくい構造となっている。すなわち、遊技機用基板ケース１００におけるシール貼付部Ａやその周辺部に物が当たる等して外力が加えられた場合であっても、図８（ａ），（ｂ）に示すように、ベース部材１１０のフランジ部１１５の後面１１５ａが、カバー部材１２０のフランジ嵌合凹部１２７の前面１２７ａで支えられるようになっている。加えて、図８（ａ）に示すように、第一のカバー側壁部１２２の後端面１２２ｂが、ベース後壁部１１１の前面１１１ａで支えられるとともに、第一のカバー側壁部１２２の外面１２２ａが、第一のベース側壁部１１２の内面１１２ａで支えられるようになっている。
【００４８】
２．２  第二実施態様の遊技機用基板ケース
続いて、第二実施態様の遊技機用基板ケース１００について説明する。図９は、第二実施態様の遊技機用基板ケース１００を分解した状態を示した前方斜視図である。図１０は、第二実施態様の遊技機用基板ケース１００に封印シール２００を貼り付けた後の状態を示した前方斜視図である。図１１は、第二実施態様の遊技機用基板ケース１００に封印シール２００を貼り付けた後の状態を示した正面図である。図１２は、第二実施態様の遊技機用基板ケース２００におけるシール貼付部Ａの周辺を示した断面図であり、図１２（ａ）は、図１１におけるＸ１−Ｘ１断面を、図１２（ｂ）は、図１１におけるＺ１−Ｚ１断面を、図１２（ｃ）は、図１１におけるＺ２−Ｚ２断面を、それぞれ示している。
【００４９】
上述した第一実施態様の遊技機用基板ケース１００では、図８に示すように、シール貼付部Ａの前面（シール貼付面）を、カバー前壁部１２１の前面と同じ高さ（ｙ軸方向での高さが同じ）になるように配しており、ベース側凸条部１１６の前端面とカバー側凸条部１２６の前端面とが、カバー前壁部１２１の前面よりも前方（ｙ軸方向負側）に突き出るようになっていた。このため、第一実施態様の遊技機用基板ケース１００では、ベース側凸条部１１６やカバー側凸条部１２６を起点として遊技機用基板ケース１００が破損等する可能性が排除しきれなかった。
【００５０】
これに対し、第二実施態様の遊技機用基板ケース１００では、図１２に示すように、シール貼付部Ａの前面（シール貼付面）が、カバー前壁部１２１の前面よりも低い位置（ｙ軸方向正側の位置）となるようにしている。すなわち、第二実施態様の遊技機用基板ケース１００では、図９に示すように、カバー部材１２０のカバー前壁部１２１の前面に、第一凹部１２０ｄと第二凹部１２０ｅとを隣接して設けており、第一凹部１２０ｄの内底面（前向面）がカバー側シール貼付部Ａ２となり、第二凹部１２０ｅがフランジ嵌合部１２７となるようにしている。第一凹部１２０ｄの内底面は、カバー前壁部１２１の前面よりも低い位置（ｙ軸方向正側）となっており、第二凹部１２０ｅの内底面（前向面）は、第一凹部１２０ｄの内底面よりもさらに一段低い位置（ｙ軸方向正側）となっている。第一凹部１２０ｄと第二凹部１２０ｅとの段差（第一凹部１２０ｄの内底面から第二凹部１２０ｅの内底面までの深さ）は、フランジ部１１５の板厚と略同一となっている。また、第一凹部１２０ｄの深さ（カバー前壁部１２１の前面から第一凹部１２０ｄの内底面までの深さ）は、特に限定されないが、通常、１〜７ｍｍ程度とされ、好ましくは、３〜５ｍｍ程度とされる。
【００５１】
このため、第二実施態様の遊技機用基板ケース１００では、第一実施態様の遊技機用基板ケース１００のようにベース側凸条部１１６やカバー側凸条部１２６をカバー前壁部１２１の前面から前方に突出した状態に設けなくても、第一凹部１２０ｄや第二凹部１２０ｅの壁面によって、シール貼付部Ａに貼り付けられた封印シール２００の端部を保護することが可能となっている。すなわち、第二実施態様の遊技機用基板ケース１００では、第一実施態様の遊技機用基板ケース１００では懸念された、ベース側凸条部１１６やカバー側凸条部１２６を起点とする遊技機用基板ケース１００の破損等を、防ぐことが可能となっている。そもそも、第二実施態様の遊技機用基板ケース１００では、カバー側凸条部（図３の符号１２６を参照）自体が設けられていない。一方、第二実施態様の遊技機用基板ケース１００でも、ベース側凸条部１１６は設けられている。しかし、このベース側凸条部１１６は、封印シール２００の端部を保護するためのものというよりも、フランジ部１１５の剛性を維持するためのものであるため、フランジ部１１５の剛性を確保できるのであれば、ベース側凸条部１１６を省略することも可能である。
【００５２】
第二実施態様の遊技機用基板ケース１００について特に言及しない構成については、上述した第一実施態様の遊技機用基板ケース１００と略同様であるため、当該構成についての詳しい説明を割愛する。
【００５３】
２．３  第三実施態様の遊技機用基板ケース
続いて、第三実施態様の遊技機用基板ケース１００について説明する。図１３は、第三実施態様の遊技機用基板ケース１００を分解した状態を示した前方斜視図である。図１４は、第三実施態様の遊技機用基板ケース１００に封印シール２００を貼り付けた後の状態を示した前方斜視図である。図１５は、第三実施態様の遊技機用基板ケース１００に封印シール２００を貼り付けた後の状態を示した正面図である。図１６は、第三実施態様の遊技機用基板ケース２００におけるシール貼付部Ａの周辺を示した断面図であり、図１６（ａ）は、図１５におけるＸ１−Ｘ１断面を、図１６（ｂ）は、図１５におけるＺ１−Ｚ１断面を、図１６（ｃ）は、図１５におけるＺ２−Ｚ２断面を、それぞれ示している。
【００５４】
上述した第一実施態様の遊技機用基板ケース１００（図３〜８）や第二実施態様の遊技機用基板ケース１００（図９〜１２）においては、ベース側シール貼付部Ａ１を形成するフランジ部１１５が、第一のベース側壁部１１２の前縁中央部から内側に突出した状態で設けられていた。このため、第一実施態様や第二実施態様の遊技機用基板ケース１００では、上記「２．１．３  効果」の欄で述べたように、フランジ部１１５の後面１１５ａがフランジ嵌合凹部１２７の前面１２７ａで支えられ、第一のカバー側壁部１２２の後端面１２２ｂがベース後壁部１１１の前面１１１ａで支えられ、第一のカバー側壁部１２２の外面１２２ａが第一のベース側壁部１１２の内面１１２ａで支えられることによって、シール貼付部Ａ（フランジ部１１５）の周辺部の剛性を高めることができるようになっていた。逆に言うと、第一実施態様や第二実施態様の遊技機用基板ケース１００では、第一のカバー側壁部１２２以外のカバー側壁部や、第一のベース側壁部１１２以外のベース側壁部を、シール貼付部Ａ（フランジ部１１５）の周辺部の剛性の向上に寄与させにくい構造となっていた。
【００５５】
これに対し、第三実施態様の遊技機用基板ケース１００においては、図１３〜１５に示すように、ベース側シール貼付部Ａ１を形成するフランジ部１１５が、第一のベース側壁部１１２と第二のベース側壁部１１３とで形成される隅角部の前部から内側に突出して設けられており、フランジ嵌合凹部１２７やカバー側シール貼付部Ａ２も、それに対応した箇所（カバー部材１２０のカバー前壁部１２１における、第一のカバー側壁部１２２と第二のカバー側壁部１２３とで形成される隅角部の近傍）に設けられている。このため、第三実施態様の遊技機用基板ケース１００では、第一のカバー側壁部１２２以外のカバー側壁部（第二のカバー側壁部１２３）や、第一のベース側壁部１１２以外のベース側壁部（第二のベース側壁部１１３）も、シール貼付部Ａ（フランジ部１１５）の周辺部の剛性の向上に寄与させることができるようになっている。具体的には、図１６（ａ）に示すように、フランジ部１１５の後面１１５ａをフランジ嵌合凹部１２７の前面１２７ａで支え、第一のカバー側壁部１２２の後端面１２２ｂをベース後壁部１１１の前面１１１ａで支え、第一のカバー側壁部１２２の外面１２２ａを第一のベース側壁部１１２の内面１１２ａで支えるだけでなく、図１６（ｂ），（ｃ）に示すように、第二のカバー側壁部１２３の後端面１２３ｂをベース後壁部１１１の前面１１１ａで支え、第二のカバー側壁部１２３の外面１２３ａを第二のベース側壁部１１３の内面１１２３で支えることも可能となっている。したがって、第三実施態様の遊技機用基板ケース１００では、第一実施態様や第二実施態様の遊技機用基板ケース１００よりも、シール貼付部Ａの周辺をさらに強固な構造とし、シール貼付部Ａに撓み等の変形がさらに生じにくくすることが可能となっている。
【００５６】
第三実施態様の遊技機用基板ケース１００について特に言及しない構成については、上述した他の実施態様の遊技機用基板ケース１００と略同様であるため、当該構成についての詳しい説明を割愛する。
【００５７】
２．４  第四実施態様の遊技機用基板ケース
続いて、第四実施態様の遊技機用基板ケース１００について説明する。図１７は、第四実施態様の遊技機用基板ケース１００を分解した状態を示した前方斜視図である。図１８は、第四実施態様の遊技機用基板ケース１００に封印シール２００を貼り付けた後の状態を示した前方斜視図である。図１９は、第四実施態様の遊技機用基板ケース１００に封印シール２００を貼り付けた後の状態を示した正面図である。図２０は、第四実施態様の遊技機用基板ケース２００におけるシール貼付部Ａの周辺を示した断面図であり、図２０（ａ）は、図１９におけるＸ１−Ｘ１断面を、図２０（ｂ）は、図１９におけるＺ１−Ｚ１断面を、図２０（ｃ）は、図１９におけるＺ２−Ｚ２断面を、それぞれ示している。
【００５８】
第四実施態様の遊技機用基板ケース１００は、第二実施態様の遊技機用基板ケース１００と第三実施態様の遊技機用基板ケース１００とにおける良い点を組み合わせたものである。すなわち、第四実施態様の遊技機用基板ケース１００は、図１７〜２０に示すように、ベース側シール貼付部Ａ１を形成するフランジ部１１５が、第一のベース側壁部１１２と第二のベース側壁部１１３とで形成される隅角部の前部から内側に突出して設けられており、フランジ嵌合凹部１２７やカバー側シール貼付部Ａ２も、それに対応した箇所（カバー部材１２０のカバー前壁部１２１における、第一のカバー側壁部１２２と第二のカバー側壁部１２３とで形成される隅角部の近傍）に設けられたものとなっている。この点（フランジ部１１５等の配置箇所）においては、上述した第三実施態様の遊技機用基板ケース１００（図１３〜１６）と同様である。
【００５９】
ただし、上述した第三実施態様の遊技機用基板ケース１００では、図１３，１６に示すように、シール貼付部Ａの前面（シール貼付面）が、カバー前壁部１２１の前面と同じ高さ（ｙ軸方向での高さが同じ）になるように配されており、ベース側凸条部１１６の前端面とカバー側凸条部１２６の前端面とが、カバー前壁部１２１の前面よりも前方（ｙ軸方向負側）に突き出るようになっていたのに対し、第四実施態様の遊技機用基板ケース１００では、図１７，２０に示すように、シール貼付部Ａの前面（シール貼付面）が、カバー前壁部１２１の前面よりも低い位置（ｙ軸方向正側の位置）となるようにしている。すなわち、第四実施態様の遊技機用基板ケース１００では、上述した第二実施態様の遊技機用基板ケース１００と同様、カバー部材１２０のカバー前壁部１２１の前面に、第一凹部１２０ｄと第二凹部１２０ｅとを隣接して設けており、第一凹部１２０ｄの内底面（前向面）がカバー側シール貼付部Ａ２となり、第二凹部１２０ｅがフランジ嵌合部１２７となるようにしている。このため、第四実施態様の遊技機用基板ケース１００では、第三実施態様の遊技機用基板ケース１００のようにベース側凸条部１１６やカバー側凸条部１２６をカバー前壁部１２１の前面から前方に突出した状態に設けなくても、第一凹部１２０ｄや第二凹部１２０ｅの壁面によって、シール貼付部Ａに貼り付けられた封印シール２００の端部を保護することが可能となっている。
【００６０】
第四実施態様の遊技機用基板ケース１００について特に言及しない構成については、上述した他の実施態様の遊技機用基板ケース１００と略同様であるため、当該構成についての詳しい説明を割愛する。
【００６１】
２．５  第五実施態様の遊技機用基板ケース
続いて、第五実施態様の遊技機用基板ケース１００について説明する。図２１は、第五実施態様の遊技機用基板ケース１００を分解した状態を示した前方斜視図である。図２２は、第五実施態様の遊技機用基板ケース１００に封印シール２００を貼り付けた後の状態を示した前方斜視図である。図２３は、第五実施態様の遊技機用基板ケース１００に封印シール２００を貼り付けた後の状態を示した正面図である。図２４は、第五実施態様の遊技機用基板ケース２００におけるシール貼付部Ａの周辺を示した断面図であり、図２４（ａ）は、図２３におけるＸ１−Ｘ１断面を、図２４（ｂ）は、図２３におけるＺ１−Ｚ１断面を、図２４（ｃ）は、図２３におけるＺ２−Ｚ２断面を、それぞれ示している。
【００６２】
上述した第三実施態様の遊技機用基板ケース１００（図１３〜１６）や第四実施態様の遊技機用基板ケース１００（図１７〜２０）において、ベース側シール貼付部Ａ１を形成するフランジ部１１５が、第一のベース側壁部１１２と第二のベース側壁部１１３とで形成される隅角部に設けられていることについては、既に述べた通りであるが、第三実施態様や第四実施態様の遊技機用基板ケース１００では、フランジ部１１５が、第一のベース側壁部１１２と第二のベース側壁部１１３との双方に接続した状態となっていた。
【００６３】
これに対し、第五実施態様の遊技機用基板ケース１００では、図２１〜２３に示すように、ベース側シール貼付部Ａ１を形成するフランジ部１１５が、第一のベース側壁部１１２と第二のベース側壁部１１３とで形成される隅角部に設けられていることや、フランジ部１１５が、第一のベース側壁部１１２に接続されていることについては、第三実施態様や第四実施態様の遊技機用基板ケース１００と同様であるが、フランジ部１１５は、第二のベース側壁部１１３には接続されていない。換言すると、第五実施態様の遊技機用基板ケース１００では、図２１に示すように、フランジ部１１５と第二のベース側壁部１１３との間に、僅かな隙間１１０ｆを設けている。この隙間１１０ｆは、ベース部材１１０に対してカバー部材１２０を組み付けた際には、図２４（ｂ）に示すように、カバー部材１２０の突出部１２０ｆで埋められる。この突出部１２０ｆは、断面「Ｕ」字状に湾曲した形態を有しており、強度の高い部分となっている。このため、第五実施態様の遊技機用基板ケース１００は、第三実施態様や第四実施態様の遊技機用基板ケース１００よりも、カバー部材１２０における、第一のカバー側壁部１２２と第二のカバー側壁部１２３との隅角部周辺の剛性が高く、ベース部材１１０のフランジ部１１５を、より変形の生じにくい状態で支持することができるものとなっている。
【００６４】
第五実施態様の遊技機用基板ケース１００において、フランジ部１１５と第二のベース側壁部１１３との隙間１１０ｆの幅Ｗ（図２４）は、特に限定されないが、狭くしすぎると、隙間１１０に嵌め込まれる突出部１２０ｆの幅も狭くする必要があり、突出部１２０ｆの強度を高めにくくなる虞がある。このため、隙間１１０ｆの幅Ｗは、通常、３ｍｍ以上とされる。隙間１１０ｆの幅Ｗは、５ｍｍ以上であると好ましく、７ｍｍ以上であるとより好ましい。一方、隙間１１０ｆの幅Ｗを広くしすぎると、フランジ嵌合凹部１２７から第二のカバー側壁部１２３までの距離が遠くなり、第二のカバー側壁部１２３が、シール貼付部Ａの周辺部の剛性の向上に寄与しにくくなる（フランジ部１１５が、第一のベース側壁部１１２と第二のベース側壁部１１３とで形成される隅角部に位置しなくなる）虞がある。このため、隙間１１０ｆの幅Ｗは、通常、３０ｍｍ以下とされる。隙間１１０ｆの幅Ｗは、２５ｍｍ以下であると好ましく、２０ｍｍ以下であるとより好ましい。
【００６５】
第五実施態様の遊技機用基板ケース１００について特に言及しない構成については、上述した他の実施態様の遊技機用基板ケース１００等と略同様であるため、当該構成についての詳しい説明を割愛する。
【００６６】
２．６  第六実施態様の遊技機用基板ケース
続いて、第六実施態様の遊技機用基板ケース１００について説明する。図２５は、第六実施態様の遊技機用基板ケース１００を分解した状態を示した前方斜視図である。図２６は、第六実施態様の遊技機用基板ケース１００に封印シール２００を貼り付けた後の状態を示した前方斜視図である。図２７は、第六実施態様の遊技機用基板ケース１００に封印シール２００を貼り付けた後の状態を示した正面図である。図２８は、第六実施態様の遊技機用基板ケース２００におけるシール貼付部Ａの周辺を示した断面図であり、図２８（ａ）は、図２７におけるＸ１−Ｘ１断面を、図２８（ｂ）は、図２７におけるＺ１−Ｚ１断面を、図２８（ｃ）は、図２７におけるＺ２−Ｚ２断面を、それぞれ示している。
【００６７】
第六実施態様の遊技機用基板ケース１００は、第二実施態様の遊技機用基板ケース１００と第五実施態様の遊技機用基板ケース１００とにおける良い点を組み合わせたものである。すなわち、第六実施態様の遊技機用基板ケース１００では、ベース側シール貼付部Ａ１を形成するフランジ部１１５が、第二のベース側壁部１１３には接続されない状態（隙間１１０ｆを設けた状態）で第一のベース側壁部１１２と第二のベース側壁部１１３とで形成される隅角部に設けられている。この点においては、第五実施態様の遊技機用基板ケース１００（図２１〜２４）と同様である。また、第六実施態様の遊技機用基板ケース１００では、図２５，２８に示すように、シール貼付部Ａの前面（シール貼付面）が、カバー前壁部１２１の前面よりも低い位置（ｙ軸方向正側の位置）となるようにしている。この点においては、第二実施態様の遊技機用基板ケース１００（図９〜１３）と同様である。このため、第六実施態様の遊技機用基板ケース１００では、カバー部材１２０における、第一のカバー側壁部１２２と第二のカバー側壁部１２３との隅角部周辺の剛性を高めて、ベース部材１１０のフランジ部１１５を、より変形の生じにくい状態で支持することが可能であるだけでなく、第五実施態様の遊技機用基板ケース１００では懸念される、ベース側凸条部１１６やカバー側凸条部１２６を起点とする遊技機用基板ケース１００の破損等を、防ぐことも可能となっている。
【００６８】
第六実施態様の遊技機用基板ケース１００について特に言及しない構成については、上述した他の実施態様の遊技機用基板ケース１００と略同様であるため、当該構成についての詳しい説明を割愛する。
【００６９】
２．７  その他
ところで、上述した第一実施態様から第六実施態様までの遊技機用基板ケース１００では、例えば図８（ａ）に示されるように、フランジ部１１５は、その後面１１５ａが第一のベース側壁部１１２に対して垂直になる（フランジ部１１５の後面１１５ａがｘ−ｚ平面と平行になる）ように形成されるとともに、フランジ嵌合凹部１２７は、その前面１２７ａが第一のカバー側壁部１２２に対して垂直となる（フランジ嵌合凹部１２７の前面１２７ａがｘ−ｚ平面と平行になる）ように形成されていた。しかし、フランジ部１１５及びフランジ嵌合凹部１２７は、図２９に示すように、その後面１１５ａ及び前面１２７ａを傾斜して形成することも好ましい。図９は、フランジ部１１５の後面１１５ａ及びフランジ嵌合凹部１２７の前面１２７ａを傾斜させた態様の遊技機用基板ケース１００を、図７におけるＸ１−Ｘ１面に相当する平面で切断した状態を示した断面図である。図２９（ａ）は、ベース部材１１０に対してカバー部材１２０を上方にスライドさせている様子を、図２９（ｂ）は、ベース部材１１０に対してカバー部材１２０を組み付けた後の状態を示している。
【００７０】
図２９に示した態様の遊技機用基板ケース１００では、フランジ部１１５の後面１１５ａが、その内端側（ｚ軸方向負側の端部）が外端側（ｚ軸方向正側の端部）よりも前方（ｙ軸方向負側）へ位置するように、傾斜角度θで傾斜して形成されており、フランジ嵌合凹部１２７の前面１２７ａも、フランジ部１１５の後面１１５ａと同様の傾斜角度φで傾斜して形成されている。このため、図２９（ａ）に示すように、ベース部材１１０に対してカバー部材１２０を組み付ける際に、フランジ部１１５の後面１１５ａにおける内端とフランジ嵌合凹部１２７の前面１２７ａにおける外端との間に、クリアランスＣを設け、フランジ部１１５をフランジ嵌合凹部１２７に嵌合しやすくすることが可能となっている。また、図２９（ｂ）に示すように、ベース部材１１０に対してカバー部材１２０を組み付けた状態にあっては、フランジ部１１５の後面１１５ａとフランジ嵌合凹部１２７の前面１２７ａとを密着しやすくし、フランジ部１１５の後面１１５ａの全体をフランジ嵌合凹部１２７の前面１２７ａでしっかりと支えることも可能となっている。このため、遊技機用基板ケース１００におけるシール貼付部Ａに、撓み等の変形がさらに生じにくくすることが可能となっている。
【００７１】
フランジ部１１５の後面１１５ａやフランジ嵌合凹部１２７の前面１２７ａを傾斜させる場合、フランジ部１１５の後面１１５ａの傾斜角度θは、フランジ嵌合凹部１２７の前面１２７ａの傾斜角度φと同一とされるか、傾斜角度φよりもやや小さくされる。傾斜角度θと傾斜角度φの具体的な値は、特に限定されない。しかし、傾斜角度θや傾斜角度φを小さくしすぎると、上述した効果が奏されにくくなり、フランジ部１１５の後面１１５ａやフランジ嵌合凹部１２７の前面１２７ａを傾斜させる意義が低下する。このため、傾斜角度θと傾斜角度φは、通常、１°以上とされる。傾斜角度θと傾斜角度φは、２°以上とすると好ましく、３°以上とするとより好ましい。一方、傾斜角度θや傾斜角度φを大きくしすぎると、シール貼付部Ａに貼り付けられた封印シールを、遊技機用基板ケース１００の前方から視認しにくくなる。このため、傾斜角度θと傾斜角度φは、通常、６０°以下とされる。傾斜角度θと傾斜角度φは、４５°以下であると好ましく、３０°以下であるとより好ましい。
【００７２】
フランジ部１１５の後面１１５ａやフランジ嵌合凹部１２７の前面１２７ａを傾斜させる構成は、上述した第一実施態様から第六実施態様までのいずれの遊技機用基板ケース１００においても、好適に採用することができる。
【符号の説明】
【００７３】
１０      回胴式遊技機
１０ａ    筺体本体
１０ｂ    前扉
１０ｂ１  リール窓
１１      メダル投入口
１２      メダル払出口
１３      第一リール（リール）
１４      第二リール（リール）
１５      第三リール（リール）
１６      液晶ディスプレイ
１７      スピーカー
１８      マックスベットボタン
１９      シングルベットボタン
２０      スタートレバー
２１      第一ストップボタン（ストップボタン）
２２      第二ストップボタン（ストップボタン）
２３      第三ストップボタン（ストップボタン）
２４      チャンスボタン
２５      払戻しボタン
３０      メイン制御基板ユニット
３１      サブ制御基板ユニット
３２      液晶ユニット
３３      電源ユニット
３４      コネクタユニット
３５      リールユニット
３６      ホッパーユニット
１００      遊技機用基板ケース
１１０      ベース部材
１１０ａ    被係止部
１１０ｂ    ネジ挿通孔
１１０ｃ    固定部
１１０ｆ    隙間
１１１      ベース後壁部
１１１ａ    ベース後壁部の前面
１１２      第一のベース側壁部
１１２ａ    第一のベース側壁部の内面
１１３      第二のベース側壁部
１１３ａ    第二のベース側壁部の内面
１１４      第三のベース側壁部
１１５      フランジ部
１１５ａ    フランジ部の後面
１１６      ベース側凸条部
１２０      カバー部材
１２０ａ    係止部
１２０ｂ    ネジ螺合部
１２０ｃ    ネジ螺合部
１２０ｄ    第一凹部
１２０ｅ    第二凹部
１２０ｆ    突出部
１２１      カバー前壁部
１２２      第一のカバー側壁部
１２２ａ    第一のカバー側壁部の外面
１２２ｂ    第一のカバー側壁部の後端面
１２３      第二のカバー側壁部
１２３ａ    第二のカバー側壁部の外面
１２３ｂ    第二のカバー側壁部の後端面
１２４      第三のカバー側壁部
１２５      第四のカバー側壁部
１２６      カバー側凸条部
１２７      フランジ嵌合凹部
１２７ａ    フランジ嵌合凹部の前面
２００      封印シール
３００      電子基板
３００ｂ    ネジ挿通孔
３００ｃ    ネジ挿通孔
４０１      ネジ
４０２      ネジ
Ａ      シール貼付部
Ａ１    ベース側シール貼付部
Ａ２    カバー側シール貼付部
Ｃ      フランジ部の後面における内端とフランジ嵌合凹部の前面における外端とのクリアランス
Ｗ      フランジ部と第二のベース側壁部との隙間の幅
θ      フランジ部の後面の傾斜角度
φ      フランジ嵌合凹部の前面の傾斜角度
【図１】
2017213247.tif 000003
【図２】
2017213247.tif 000004
【図３】
2017213247.tif 000005
【図４】
2017213247.tif 000006
【図５】
2017213247.tif 000007
【図６】
2017213247.tif 000008
【図７】
2017213247.tif 000009
【図８】
2017213247.tif 000010
【図９】
2017213247.tif 000011
【図１０】
2017213247.tif 000012
【図１１】
2017213247.tif 000013
【図１２】
2017213247.tif 000014
【図１３】
2017213247.tif 000015
【図１４】
2017213247.tif 000016
【図１５】
2017213247.tif 000017
【図１６】
2017213247.tif 000018
【図１７】
2017213247.tif 000019
【図１８】
2017213247.tif 000020
【図１９】
2017213247.tif 000021
【図２０】
2017213247.tif 000022
【図２１】
2017213247.tif 000023
【図２２】
2017213247.tif 000024
【図２３】
2017213247.tif 000025
【図２４】
2017213247.tif 000026
【図２５】
2017213247.tif 000027
【図２６】
2017213247.tif 000028
【図２７】
2017213247.tif 000029
【図２８】
2017213247.tif 000030
【図２９】
2017213247.tif 000031
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
ベース部材と、
ベース部材の前側を覆った状態に組み付けられるカバー部材と、
を備え、
ベース部材に設けられたベース側シール貼付部とカバー部材に設けられたカバー側シール貼付部とに跨った状態で封印シールを貼り付けることができるようにした
遊技機用基板ケースであって、
ベース部材が、
ベース後壁部と、
ベース後壁部の一の側縁から前側に突出する第一のベース側壁部と、
第一のベース側壁部の前部から内側に突出し、その前面がベース側シール貼付部となるフランジ部と、
を有し、
フランジ部の後面が、その内端側が外端側よりも前方へ位置するように、傾斜して形成されるとともに、
カバー部材が、
その前面における一部の領域がカバー側シール貼付部となるカバー前壁部と、
カバー前壁部の一の側縁から後側に突出する第一のカバー側壁部と、
を有し、
カバー前壁部の前面における、カバー側シール貼付部に隣接する領域に、フランジ嵌合凹部が設けられ、
フランジ嵌合凹部の前面が、フランジ部の後面と略同じ角度で傾斜して形成され、
ベース部材とカバー部材とを組み付けた状態においては、
第一のカバー側壁部が第一のベース側壁部の内面側に沿った状態で配されて、第一のカバー側壁部の後端がベース後壁部の前面に略当接した状態となり、
フランジ部がフランジ嵌合凹部に嵌合されて、フランジ部の後面とフランジ嵌合凹部の前面とが略当接した状態となる
ようにしたことを特徴とする遊技機用基板ケース。
【請求項２】
フランジ部における、ベース側シール貼付部の外縁に沿った箇所に、ベース側凸条部が設けるとともに、
カバー前壁部における、カバー側シール貼付部の外縁に沿った箇所に、カバー側凸条部が設けられた
請求項１記載の遊技機用基板ケース。
【請求項３】
カバー部材の前面に、
第一凹部と、
第一凹部に隣接する領域に設けられ、第一凹部よりも一段低い第二凹部と、
が設けられ、
第一凹部の前面がカバー側シール貼付部となり、
第二凹部がフランジ嵌合凹部となる
ようにした請求項１記載の遊技機用基板ケース。
【請求項４】
ベース部材が、
ベース後壁部の前記一の側縁に隣接する他の側縁から前側に突出する第二のベース側壁部を
さらに有し、
カバー部材が、
カバー前壁部の前記一の側縁に隣接する他の側縁から後側に突出する第二のカバー側壁部を
さらに有し、
フランジ部が、第一のベース側壁部と第二のベース側壁部とで形成される隅角部の前部から内側に突出して形成され、
ベース部材とカバー部材とを組み付けた状態においては、
第二のカバー側壁部が第二のベース側壁部の内面側に沿った状態で配されて、第二のカバー側壁部の後端がベース後壁部の前面に略当接した状態となる
ようにした請求項１〜３いずれか１つに記載の遊技機用基板ケース。
【請求項５】
請求項１〜４いずれか１つに記載の遊技機用基板ケースを備えた遊技機。
【手続補正２】
【補正対象書類名】明細書
【補正対象項目名】０００９
【補正方法】変更
【補正の内容】
【０００９】
上記課題は、
ベース部材と、
ベース部材の前側を覆った状態に組み付けられるカバー部材と、
を備え、
ベース部材に設けられたベース側シール貼付部とカバー部材に設けられたカバー側シール貼付部とに跨った状態で封印シールを貼り付けることができるようにした
遊技機用基板ケースであって、
ベース部材が、
ベース後壁部と、
ベース後壁部の一の側縁から前側に突出する第一のベース側壁部と、
第一のベース側壁部の前部から内側に突出し、その前面がベース側シール貼付部となるフランジ部と、
を有し、
フランジ部の後面が、その内端側が外端側よりも前方へ位置するように、傾斜して形成（図２９（ａ）における傾斜角度θを参照）されるとともに、
カバー部材が、
その前面における一部の領域がカバー側シール貼付部となるカバー前壁部と、
カバー前壁部の一の側縁から後側に突出する第一のカバー側壁部と、
を有し、
カバー前壁部の前面における、カバー側シール貼付部に隣接する領域に、フランジ嵌合凹部が設けられ、
フランジ嵌合凹部の前面が、フランジ部の後面と略同じ角度で傾斜（図２９（ａ）における傾斜角度φを参照）して形成され、
ベース部材とカバー部材とを組み付けた状態においては、
第一のカバー側壁部が第一のベース側壁部の内面側に沿った状態で配されて、第一のカバー側壁部の後端がベース後壁部の前面に略当接した状態となり、
フランジ部がフランジ嵌合凹部に嵌合されて、フランジ部の後面とフランジ嵌合凹部の前面とが略当接した状態となる
ようにしたことを特徴とする遊技機用基板ケース
を提供することによって解決される。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、かかる構成によって、図２９（ａ）に示すように、ベース部材１１０とカバー部材１２０とを組み付ける際に、フランジ部１１５の後面１１５ａにおける内端（ｚ軸方向負側の端部）とフランジ嵌合凹部１２７の前面１２７ａにおける外端（ｚ軸方向正側の端部）との間に、クリアランスＣを設けることが可能になり、フランジ部１１５をフランジ嵌合凹部１２７に嵌合しやすくすることが可能になる。また、図２９（ｂ）に示すように、ベース部材１１０とカバー部材１２０とを組み付けた状態にあっては、フランジ部１１５の後面１１５ａとフランジ嵌合凹部１２７の前面１２７ａとを密着しやすくし、フランジ部１１５の全体をフランジ嵌合凹部１２７の前面１２７ａでしっかりと支えることが可能になる。このため、遊技機用基板ケース１００におけるシール貼付部Ａに、撓み等の変形がさらに生じにくくすることも可能になる。